(57)【要約】【課題】  回路基板上の部品をより効率的に冷却できる加熱調理器を提供する。【解決手段】  回路基板に搭載された部品を冷却する冷却ファンを備えた加熱調理器において、回路基板を冷却ファン１４の送風方向に対し当該回路基板の部品搭載面とこれに対向する壁面との間隔が冷却ファン１４側が広く反対側が狭くなるように傾斜して配置する一方、冷却ファン１４からの冷却風１６の流れを回路基板に搭載された部品（高圧トランス９や高圧ダイオード１０）に導くと共にその逆流を防止する仕切り板１７を備えた。【選択図】        図１
2005331145.tif 000002
【特許請求の範囲】
【請求項１】
回路基板に搭載された部品を冷却する冷却ファンを備えた加熱調理器において、
前記回路基板を前記冷却ファンの送風方向に対し当該回路基板の部品搭載面とこれに対向する壁面との間隔が冷却ファン側が広く反対側が狭くなるように傾斜して配置する一方、前記冷却ファンからの冷却風の流れを前記回路基板に搭載された部品に導くと共にその逆流を防止する仕切り板を備えたことを特徴とする加熱調理器。
【請求項２】
前記回路基板に搭載された部品の近傍の仕切り板に前記冷却ファンからの冷却風が通り抜ける開口を形成したことを特徴とする請求項１記載の加熱調理器。
【請求項３】
食品を収納する加熱室と、この加熱室に隣接して配置された電装室と、この電装室の下部に配置されて前記加熱室にマイクロ波を供給するマグネトロンと、前記電装室の上部に配置されて前記回路基板上に前記マグネトロンの電源回路が搭載されて成るインバータ電源回路ユニットとを備え、前記冷却ファンは、前記マグネトロンとインバータ電源回路ユニット間の一側に配置されてマグネトロンとインバータ電源回路ユニットの回路基板に搭載された部品を冷却すると共に、前記回路基板を前記冷却ファンの送風方向に対し当該回路基板の部品搭載面とこれに対向する加熱室側壁面との間隔が冷却ファン側が広く反対側が狭くなるように傾斜して配置する一方、前記冷却ファンは、前記マグネトロンとインバータ電源回路ユニットに向かって反時計回りに回転駆動されるように設定されていることを特徴とする請求項１又は請求項２記載の加熱調理器。
【発明の詳細な説明】
【技術分野】
【０００１】
本願発明は、回路基板に搭載された部品を冷却する冷却ファンを備えた電子レンジ（オーブンレンジ）等の加熱調理器に関わり、特にその冷却風路に関するものである。
【背景技術】
【０００２】
従来のこの種のものにおいては、一般に、高電圧部品等の発熱体を搭載した回路基板が冷却ファンの送風方向に対し並行に配置されている（例えば、特許文献１参照）。
【０００３】
また、高電圧部品等の発熱体を搭載した回路基板を冷却ファンの送風方向に対し当該回路基板の部品搭載面とこれに対向する外装壁面との間隔が冷却ファン側が広く反対側が狭くなるように傾斜して配置したものもある（例えば、特許文献２参照）。
【特許文献１】特許第２８６４８７４号公報（図１）
【特許文献２】特開２０００−１９５６５６号公報（図１）
【発明の開示】
【発明が解決しようとする課題】
【０００４】
ところが、上記特許文献１に示されているように、高電圧部品等の発熱体を搭載した回路基板が冷却ファンの送風方向に対し並行に配置されているものでは、冷却ファンからの冷却風が高電圧部品等の発熱体に当たらずに通り抜けやすいため、冷却効果が得にくいという課題があった。
【０００５】
また、上記特許文献２に示されているように、回路基板を冷却ファンの送風方向に対し当該回路基板の部品搭載面とこれに対向する外装壁面との間隔が冷却ファン側が広く反対側（奥側）が狭くなるように傾斜して配置したものでは、冷却ファンからの冷却風が回路基板に沿って流れ、より多くの冷却風を回路基板上の高電圧部品等の発熱体に当てることができる反面、奥側が狭くなって冷却風が通り抜けにくく空気圧が高くなって逆流が発生するので、冷却効果が得にくくなるという課題があった。
【０００６】
そこで、本願発明はこのような課題を解決するためになされたものであり、回路基板上の部品をより効率的に冷却できる加熱調理器を提供することを目的とするものである。
【課題を解決するための手段】
【０００７】
上記のような目的を達成するために、本願発明は、回路基板に搭載された部品を冷却する冷却ファンを備えた加熱調理器において、前記回路基板を前記冷却ファンの送風方向に対し当該回路基板の部品搭載面とこれに対向する壁面との間隔が冷却ファン側が広く反対側が狭くなるように傾斜して配置する一方、前記冷却ファンからの冷却風の流れを前記回路基板に搭載された部品に導くと共にその逆流を防止する仕切り板を備えたことを特徴とするものである。
【０００８】
さらに、前記回路基板に搭載された部品の近傍の仕切り板に前記冷却ファンからの冷却風が通り抜ける開口を形成したことを特徴とするものである。
【０００９】
また、食品を収納する加熱室と、この加熱室に隣接して配置された電装室と、この電装室の下部に配置されて前記加熱室にマイクロ波を供給するマグネトロンと、前記電装室の上部に配置されて前記回路基板上に前記マグネトロンの電源回路が搭載されて成るインバータ電源回路ユニットとを備え、前記冷却ファンは、前記マグネトロンとインバータ電源回路ユニット間の一側に配置されてマグネトロンとインバータ電源回路ユニットの回路基板に搭載された部品を冷却すると共に、前記回路基板を前記冷却ファンの送風方向に対し当該回路基板の部品搭載面とこれに対向する加熱室側壁面との間隔が冷却ファン側が広く反対側が狭くなるように傾斜して配置する一方、前記冷却ファンは、前記マグネトロンとインバータ電源回路ユニットに向かって反時計回りに回転駆動されるように設定されていることを特徴とするものである。
【発明の効果】
【００１０】
本願発明によれば、上記仕切り板が冷却ファンからの冷却風の流れを回路基板に搭載された部品に導くと共にその逆流を防止するため、回路基板上の部品をより効率的に冷却できる。
【００１１】
さらに、回路基板に搭載された部品の近傍の仕切り板に形成された開口を冷却ファンからの冷却風が通り抜けるので、冷却する部品付近の冷却風の流れを良くして、冷却効果を向上させることができる。
【００１２】
また、回路基板を冷却ファンの送風方向に対し当該回路基板の部品搭載面とこれに対向する加熱室側壁面との間隔が冷却ファン側が広く反対側が狭くなるように傾斜して配置する一方、冷却ファンは、マグネトロンとインバータ電源回路ユニットに向かって反時計回りに回転駆動されるように設定されているので、冷却ファンからの冷却風は、マグネトロンとインバータ電源回路ユニットに向かって反時計回りで螺旋状に広がるように吹き出され、上部にあるインバータ電源回路ユニットへの冷却風は、冷却ファンの右側から吹き上がりながら冷却する部品に吹き当たるので冷却効果が大きくなる。
【発明を実施するための最良の形態】
【００１３】
以下、本願発明の実施形態を図面を参照して詳細に説明する。
【００１４】
図１は、本願発明の一実施形態に係る電子レンジ（オーブンレンジ）本体をその冷却風路が見えるように外装を外して後方から見た斜視図、図２は冷却風路の平面図、図３は本体を電装室が見えるように外装を外して斜め後方から見た斜視図、図４はインバータ電源回路ユニットの斜視図、図５は本体を斜め前方から見た斜視図である。
【００１５】
このオーブンレンジの本体１は、前面を除く各面が外装２で覆われており、内部に食品を収納する加熱室３が設けられている。加熱室３の前面開口には、上部に取手４が形成され下部を軸に開閉するドア５が設けられている。また、前面右側には、加熱条件や加熱開始指示を入力する操作部や加熱残り時間や加熱条件などを表示する表示部が備えられたコントロールパネル６が設けられている。
【００１６】
上記コントロールパネル６の後方，すなわち加熱室３の前方視右側には電装室７が隣接配置されている。この電装室７の下部には、加熱室３内に下部からマイクロ波を供給するマグネトロン８が配置され、上部には高圧トランス９や高圧ダイオード１０等がプリント基板（回路基板）１１上に搭載されて成るインバータ電源回路ユニット１２が配置され、このインバータ電源回路ユニット１２により商用電力を変換して得られる高電圧の高周波電力がマグネトロン８に供給されるように構成されている。また、コントロールパネル６の裏面側には、マイクロコンピュータ等を有して装置全体を制御するための制御部１３が配置されている。
【００１７】
そして、電装室７の最後部に、上記マグネトロン８とインバータ電源回路ユニット１２間の後方に位置して、マグネトロン８やインバータ電源回路ユニット１２等を冷却するための冷却ファン１４とそのファンモータ１５が配置されている。
【００１８】
上記インバータ電源回路ユニット１２は、図２に示すように、そのプリント基板１１が冷却ファン１４の送風方向に対し冷却ファン１４側が広く反対側（奥側）が狭くなるように傾斜して配置されている。すなわち、プリント基板１１は、高圧トランス９や高圧ダイオード１０等の部品搭載面を加熱室３の側壁面３ａに向けて配置されると共に、プリント基板１１の部品搭載面とこれに対向する加熱室３の側壁面３ａとの間隔が冷却ファン１４側が広く反対側（奥側）が狭くなるように傾斜して配置されている。
【００１９】
これにより、図２に示すように、冷却ファン１４からの冷却風１６がプリント基板１１に沿って流れ、より多くの冷却風１６をプリント基板１１上の高圧トランス９や高圧ダイオード１０等の発熱体に当てることができるようになっている。
【００２０】
そして、本実施形態においては、上記プリント基板１１側から搭載部品側に延設されてその上方と冷却ファン１４側を覆うように形成され、冷却ファン１４からの冷却風の流れをプリント基板１１に搭載された高圧トランス９や高圧ダイオード１０等の発熱体に導くと共にその逆流を防止する仕切り板１７が備えられている。
【００２１】
さらに、本実施形態においては、高圧トランス９や高圧ダイオード１０の近傍の仕切り板１７に、冷却ファン１４からの冷却風１６が通り抜ける開口１８を形成している。なお、図３，図４において、上記開口１８の上方に形成された構造物１９は、このインバータ電源回路ユニット１２を本体フレーム２０に固定するための取付具である。
【００２２】
また、冷却ファン１４は、電装室７の上部に上記のように配置されたインバータ電源回路ユニット１２とその下部に配置されたマグネトロン８間の後方に配置されると共に、図１〜図３に示すような羽根形状でマグネトロン８とインバータ電源回路ユニット１２に向かって反時計回りに回転駆動されるように設定されている。
【００２３】
以上の構成において、冷却ファン１４が図１，図２において反時計廻りに回転駆動されると、本体１の外装２の背面側や側面後部に形成された吸気孔２１，２２から外部の空気が電装室７内に吸い込まれて、冷却ファン１４からマグネトロン８とインバータ電源回路ユニット１２に向かって反時計回りで螺旋状に広がる冷却風が吹き出される。下部側に吹き出された冷却風は、マグネトロン８に送風されてマグネトロン８を冷却する。また、上部側に吹き出された冷却風は、インバータ電源回路ユニット１２内に送風されて、プリント基板１１上の高圧トランス９や高圧ダイオード１０等の発熱体を冷却する。
【００２４】
上記プリント基板１１は、冷却ファン１４の送風方向に対し冷却ファン１４側が広く反対側（奥側）が狭くなるように傾斜して配置されているので、図２に示すように、冷却ファン１４からの冷却風１６がプリント基板１１に沿って流れ、より多くの冷却風１６をプリント基板１１上の高圧トランス９や高圧ダイオード１０等の発熱体に当てることができる。また、上記冷却ファン１４からの冷却風は、上述したようにマグネトロン８とインバータ電源回路ユニット１２に向かって反時計回りで螺旋状に広がるように吹き出されるので、インバータ電源回路ユニット１２への冷却風は、図１に示すように、冷却ファン１４の右側から吹き上がりながら高圧トランス９や高圧ダイオード１０に吹き当たるので冷却効果が大きくなる。
【００２５】
プリント基板１１を上記のように傾斜して配置すると、奥側が狭くなって空気圧が高くなるので冷却ファン１４からの冷却風１６が逆流する虞があるが、本実施形態においては上述したような仕切り板１７が設けられているので、この仕切り板１７が冷却ファン１４からの冷却風１６の流れをプリント基板１１に搭載された高圧トランス９や高圧ダイオード１０等の発熱体に導くと共にその逆流を防止するため、プリント基板１１上の高圧トランス９や高圧ダイオード１０等の発熱体をより効率的に冷却できる。
【００２６】
さらに、本実施形態においては、高圧トランス９や高圧ダイオード１０の近傍の仕切り板１７に冷却ファン１４からの冷却風１６が通り抜ける開口１８を形成しているので、冷却ファン１４からの冷却風１６は高圧トランス９や高圧ダイオード１０を介して開口１８を通り抜けるため、高圧トランス９や高圧ダイオード１０付近の冷却風１６の流れを良くして、冷却効果を向上させることができる。
【００２７】
上記のようにして、マグネトロン８やインバータ電源回路ユニット１２の高圧トランス９や高圧ダイオード１０等の発熱体を冷却した冷却風は、さらに電装室７内の制御部１３を冷却し、本体１の外装２内を通って他の部位を冷却しながら本体１の外装２の側面前部に形成された排気孔２３や底部に形成された図示しない排気孔を介して外部に排出される。
【００２８】
なお、本願発明は、上記実施形態に限定されるものではなく、加熱室内に上部からマイクロ波を供給するため電装室の上部にマグネトロンが配置され、下部にその電源回路が配置されたものや、マグネトロン用とその電源回路用にそれぞれ冷却ファンを備えたようなものにも適用可能である。この場合、回路基板の傾斜方向や冷却ファンの羽根形状及び回転方向は、適用形態に合わせて適宜設定することが好ましい。
【図面の簡単な説明】
【００２９】
【図１】本願発明の一実施形態に係る電子レンジ（オーブンレンジ）本体をその冷却風路が見えるように外装を外して後方から見た斜視図。
【図２】上記冷却風路の平面図。
【図３】上記本体を電装室が見えるように外装を外して斜め後方から見た斜視図。
【図４】インバータ電源回路ユニットの斜視図。
【図５】本体を斜め前方から見た斜視図。
【符号の説明】
【００３０】
１  本体
２  外装
３  加熱室
３ａ  加熱室側壁面
４  取手
５  ドア
６  コントロールパネル
７  電装室
８  マグネトロン
９  高圧トランス
１０  高圧ダイオード
１１  プリント基板
１２  インバータ電源回路ユニット
１３  制御部
１４  冷却ファン
１５  ファンモータ
１６  冷却風
１７  仕切り板
１８  開口
２１，２２  吸気孔
２３  排気孔
【図１】
2005331145.tif 000003
【図２】
2005331145.tif 000004
【図３】
2005331145.tif 000005
【図４】
2005331145.tif 000006
【図５】
2005331145.tif 000007